(57)【特許請求の範囲】
【請求項１】
同一場面の少なくとも３つのビューおよび少なくとも２つのビュー領域を含むマルチビューシステムにおいてモノビジョンを提供するための方法であって、それぞれのビュー領域は、２つのビューが提供され、前記少なくとも３つのビューは、ステレオビジョンを提供するために前記少なくとも３つのビューのうちの隣り合う２つのビューがそれぞれのビュー領域に提供されるように配列され、前記方法は、
モノビジョンを提供するビュー領域を要求する指示を受け取るステップと、
モノビジョンを提供する前記ビュー領域に提供される２つのビューが前記少なくとも３つのビューのうちの１つと同じビューであり、他の少なくとも１つのビュー領域に提供される２つのビューが前記少なくとも３つのビューのうちの隣り合う２つのビューであるように、前記少なくとも３つのビューを再配列するステップと、
を備えた、前記方法。
【請求項２】
観賞者が移動するときに、モノビジョンを選択する前記観賞者がいる現在のビュー領域を検出するステップと、
前記現在のビュー領域に提供される２つのビューが、前記少なくとも３つのビューのうちの１つと同じビューとなるように、前記少なくとも３つのビューを再配列するステップと、
をさらに備えた、請求項１に記載の方法。
【請求項３】
前記現在のビュー領域の直前のビュー領域に提供された前記２つのビューは、前記少なくとも３つのビューのうちの隣り合う２つのビューに変更される、請求項２に記載の方法。
【請求項４】
同一場面の少なくとも３つのビューおよび少なくとも２つのビュー領域を含むマルチビューシステムにおいてモノビジョンを提供するための装置であって、それぞれのビュー領域は２つのビューが提供され、前記少なくとも３つのビューは、ステレオビジョンを提供するために前記少なくとも３つのビューのうちの隣り合う２つのビューがそれぞれのビュー領域に提供されるように配列され、前記装置は、
同一場面の少なくとも３つのビューを受け取るために使用される入力モジュールと、
前記少なくとも２つのビュー領域のうちの１つのビュー領域に対してモノビジョンを提供することを要求するための指示を受け取り、ピクセル再配列モジュールに前記指示を渡すために使用される指示モジュールと、
選択されたビュー領域にモノビジョンを提供するように要求するための指示を受け取ると、前記選択されたビュー領域に提供される２つのビューが前記少なくとも３つのビューのうちの１つと同じビューであり、他の少なくとも１つのビュー領域に提供される２つのビューが前記少なくとも３つのビューのうちの隣り合う２つのビューであるように、前記少なくとも３つのビューに対して再配列を行うために使用されるピクセル再配列モジュールと、
を備えた、前記装置。
【請求項５】
観賞者が現在のビュー領域に移動するときに、モノビジョンを選択する前記観賞者がいる前記現在のビュー領域を検出し、前記現在のビュー領域にモノビジョンを提供することを要求する指示を前記指示モジュールに送信するために使用される検出モジュールをさらに備え、
前記ピクセル再配列モジュールは、前記現在のビュー領域に提供される２つのビューが前記少なくとも３つのビューのうちの１つと同じビューとなるようにするためにさらに使用される、請求項４に記載の装置。
【請求項６】
前記現在のビュー領域の直前のビュー領域に提供された前記２つのビューは、前記少なくとも３つのビューのうちの隣り合う２つのビューに変更される、請求項５に記載の装置。
【発明の詳細な説明】
【技術分野】
【０００１】
本発明は、マルチビューに関し、より詳細には、マルチビューシステムにおいてモノビジョンを提供する方法および装置に関する。
【背景技術】
【０００２】
メガネを使用せずに立体画像（または三次元、３Ｄ）を提供することは、ユーザや観賞者にとって非常に重要である。そのため、多くの３Ｄテレビ受像機にマルチビュー技術が採用され、一人または複数の人がメガネの着用を必要とせずに３Ｄ映画を観賞することが可能となっている。レンチキュラーレンズは、拡大レンズをアレイ状にしたものであり、わずかに異なった角度から見たときに、異なった画像が拡大されるように設計されている。特別なメガネを必要としなくてもよいようにレンチキュラーレンズシステムを採用して、多くの製造業者が自動立体視高解像度３Ｄテレビを開発中である。この技術は、異なった視点からさらに２つのカメラで取り込まれた同一場面の２つ以上の画像からなる１つの画像を表示可能なＬＣＤの頂部に、レンチキュラーレンズのスクリーンを設置するものである。画像はレンチキュラーレンズの焦点面に位置するため、異なる像は一定の角度でのみ屈折する。３Ｄテレビ受像機のレンチキュラーレンズは、場面の左の全体像を人の左目に向けて屈折させ、同一場面の右の全体像を人の右目に向けて屈折させ、それにより、人は立体視映像を見ることが可能になる。
【０００３】
図１は従来技術によるレンチキュラーアレイによる２−ビューのディスプレーを示す図である。図中、ＬとＲは、左目と右目の画像が対応するカラムを示す。作用原理は、レンチキュラースクリーン（または、プリズムマスク）の背後に、（１つは左目用画像のための、また、他方は右目用画像のための）２つのピクセルカラムを使用して、２分の１の立体画像が２つ同時に存在することにある。レンチキュラースクリーンは、左目用画像および右目用画像を観賞者の対応する目に差し向ける。
【０００４】
マルチビューの立体視ディスプレーでは、上記の２−ビューのディスプレーにおけるように、レンチキュラースクリーンをＬＣＤの頂部に設置する。しかし、この場合、図２に示すように、ＬＣＤはレンズの焦点面に位置する。図２は、従来技術によるレンチキュラーアレイによるマルチビューのディスプレーを示す。ＬＣＤは、同一場面の数個の全体像からなる１つの画像を示す。画像はレンチキュラーアレイの焦点面に位置するため、異なる像は一定の角度でのみ屈折する。そのため、観賞者の左目は一方の全体像が見える領域に存在する一方、他方の目は隣の全体像が見える領域に存在する。その結果、立体視効果が現れる。図２に示す例では、ピクセルの３つのカラムが３つの観賞域に寄与している。観賞域の数は、より多くの全体像を追加することによって増やすことが可能である。
【発明の概要】
【発明が解決しようとする課題】
【０００５】
図３は、従来技術による４−ビューの立体視ディスプレーを示す図である。本例では、１つの画像が４つの全体像を含んでいる。本明細書では、それらの全体像を１、２、３および４で示す。図３に示すように、１つのダイヤモンド型の領域は１つまたは複数の像を受け取ることが可能である。例えば、２で示すダイヤモンド型領域は像２を受け取ることが可能である。４３で示す領域は像３および像４を受け取ることが可能である。単一の像のみを受け取る各領域は、すなわち、像１、像２、像３および像４を見るために適している。観賞者がこれらの領域に留まる間は、１つの像が観賞者の左目に差し向けられ、他の像が右目に差し向けられ、その結果、立体視効果が現れる。観賞者がモノビジョンを見たいと所望すれば、図３に示すように違和感を覚える領域に留まらなければならない。
【０００６】
したがって、これらの種類の３Ｄテレビ受像機を別々の観賞者たちが同時に使用する方法が所望されている。例えば、一人の観賞者がモノビジョンを見るために心地よい位置に着座可能となる一方、他の観賞者たちもステレオビジョンを見るために心地よい位置に着座可能となる。
【課題を解決するための手段】
【０００７】
本発明の一態様によれば、同一場面の少なくとも２つの像および少なくとも１つの観賞域を含むマルチビューシステムにおいてモノビジョンを提供するための方法が提供され、それぞれの観賞域は２つの像が提供され、少なくとも２つの像は、少なくとも２つの像のうちの隣り合う２つの像をそれぞれの観賞域に提供してステレオビジョンを提供するように配列されている。本方法は、モノビジョンを提供する観賞域を要求する指示を受け取るステップと、モノビジョンを提供する観賞域に提供される２つの像が少なくとも２つの像のうちの１つと同じ像となるように、この少なくとも２つの像を再配列するステップとを含む。
【０００８】
本発明の他の態様によれば、マルチビューシステムにおいてモノビジョンを提供するための装置が提供され、装置は、同一場面の少なくとも２つの像および少なくとも１つの観賞域を含み、それぞれの観賞域は２つの像が提供され、少なくとも２つの像は、少なくとも２つの像のうちの隣り合う２つの像をそれぞれの観賞域に提供してステレオビジョンを提供するように配列されている。装置は、同一場面の少なくとも２つの像を受け取るために使用するｎ個の入力モジュール１２０１と、少なくとも１つの観賞域のうちの１つの観賞域に対してモノビジョンを提供することを要求するための指示を受け取り、ピクセル再配列モジュール１２０３に指示を渡すために使用する指示モジュール１２０２と、選択した観賞域にモノビジョンを提供するように要求するための指示を受け取ると、選択した観賞域に提供される２つの像が少なくとも２つの像のうちの１つと同じ像となるように、少なくとも２つの像に対して再配列を行うために使用するピクセル再配列モジュール１２０３とを含む。
【０００９】
本発明の態様によれば、ステレオビジョンを独創的に提供するマルチビューシステムにおいて、観賞者がモノビジョンを見ることを可能にする。
【００１０】
本発明のさらに多くの態様および長所が、以下の本発明の詳細な説明において見出されることは理解されよう。
【図面の簡単な説明】
【００１１】
本発明のより深い理解のために含めた添付図面は、本発明の原理を説明するための説明とともに、本発明の実施形態を示すものである。したがって、本発明はこれらの実施形態には限定されない。
【図１】従来技術によるレンチキュラーアレイによる２−ビューのディスプレーを示す図である。
【図２】従来技術によるレンチキュラーアレイによるマルチビューのディスプレーを示す図である。
【図３】従来技術による４−ビューの立体視ディスプレーを示す図である。
【図４】本発明の一実施形態による、同一場面の４つの全体像からマルチビュー映像を作成する例を示す図である。
【図５】本発明の実施形態による、マルチビューディスプレーがマルチビュー映像を映し出したときの観賞域を示す図である。
【図６】本発明の実施形態による、観賞域における視界をステレオビジョンからモノビジョンに変更するための方法を示すフローチャートである。
【図７】本発明の実施形態による、ディスプレーが像２の内容を像１にコピーする様子を示す図である。
【図８】本発明の実施形態による、観賞域１がモノビジョンを表示するように指示された後の像１、２、３、および４からのピクセルの再配列を示す図である。
【図９】本発明の実施形態による、観賞域１にモノビジョンを表示するようにディスプレーが指示された際にディスプレーが像１の内容を像２にコピーする様子を示す図である。
【図１０】本発明の実施形態による、観賞者が所在している観賞域を検出するためのシステムを示す図である。
【図１１】本発明の実施形態による、観賞域を検出するための方法を示す図である。
【図１２】本発明の実施形態による、マルチビューシステムにおいてモノビジョンを提供するための装置を示すブロック図である。
【発明を実施するための形態】
【００１２】
本発明の一実施形態を図面とともに詳細に説明する。以下の説明において、知られている機能および構成の詳細な説明の一部は、明確さおよび簡潔さのために省くことがある。
【００１３】
図４は、本発明の実施形態による同一場面の４つの全体像からマルチビュー（本例では４像のもの）を作成する例を示す図である。図４に示すように、４つの全体像のソース映像をフレーム毎にマルチビュー映像に変換する。結果として得られたマルチビュー映像の各フレームにおいて、４つの像からのピクセルカラムを図４に示すように交互に配列する。本例においては、８００×３４０の解像度を備えたマルチビュー映像を作成するために、それぞれ２００×３４０の解像度を備えた４つの像を使用する。マルチビュー映像を作成するための４つの像のピクセルの再配列について、マルチビュー映像の最初の４つのピクセルカラムを構成し、続いて、４つの像の第２のピクセルカラムを使用してピクセルカラム５〜８を構成するために、４つの像の第１のピクセルカラムを次々に取り出す。本工程は、マルチビュー映像の最後の４つのピクセルカラムを構成するために４つの像の最後のピクセルカラムを取り出すまで続ける。一変形例によれば、それぞれの像は、８００×３４０の解像度を有する。マルチビュー映像を作成するために、サンプリング手法が使用可能である。加えて、マルチビュー映像が５つ以上の像から作成可能であることに注意されたい。
【００１４】
図５は、本実施形態による、マルチビューディスプレーが４つの像を含むマルチビュー映像を映し出したときの観賞域を示す図である。図中、１はピクセルカラムが像１から来ていることを表し、２、３および４においても同様である。本例においては、３人の観賞者／観察者、すなわち、観賞者１、観賞者２、観賞者３がいる。それぞれの観賞者は、隣り合う２つの像を見ることが可能であり、それぞれの目は１つの像を見ている。そのため、観賞者はステレオビジョンを得ることが可能となる。例えば、観賞者１は像１および像２を見ることが可能であり、観賞者２は像２および像３を見ることが可能である。
【００１５】
図６は、本発明の実施形態による、観賞域における視界をステレオビジョン（または、３Ｄと呼ぶ）からモノビジョン（または、２Ｄと呼ばれる）に変更するための方法を示すフローチャートである。図５に示すように、観賞者が観賞域１に着座していると想定する。このため、観賞者は、ステレオビジョンを提供する隣り合う２つの像、すなわち、像１および像２を両方とも見ることが可能である。
【００１６】
ステップ６０１において、ディスプレーは、図５に示すように観賞域、例えば観賞域１の視界をステレオビジョンからモノビジョンに変更するよう要求する指示を受け取る。指示は、遠隔コントローラのボタンを押すことで発信可能である。
【００１７】
ステップ６０２において、ディスプレーは、観賞域に対応する２つの隣り合う像のうちの１つの像の内容を他の像にコピーする。本例において、像１および像２は観賞域１に対応する。そのため、ディスプレーは像１の内容を像２にコピーすること、または、像２の内容を像１にコピーすることのいずれかが可能である。図７は、本発明による、ディスプレーが像２の内容を像１にコピーする様子を示す図である。図から分かるように、像２の内容の像１へのコピーは、像２のピクセルカラムをそれと隣り合う像１のピクセルカラムにコピーすることによって実行可能である。図８は、本実施形態による、観賞域１がモノビジョンを表示するように指示された後の像１、２、３および４からのピクセルの再配列を示す図である。
【００１８】
図６に示すように、方法は、単一の観賞者が観賞している際に良好に機能する。しかし、複数の観賞者が観賞していれば、これは、他の観賞者たちに心地よくない観賞体験をもたらす可能性がある。図９は、観賞域１にモノビジョンを表示するようにディスプレーが指示された際にディスプレーが像１の内容を像２にコピーする様子を示す図である。図５に関連して、観賞域１が像１にのみ対応していること、すなわち、観賞域１に着座している観賞者の両目が像１の内容を見ていることが分かる。しかし、これは、観賞域２に着座している観賞者に対してゴーストを発生させる原因となる。なぜなら、観賞者は像１および像３を見ることになり、これらは隣り合った像ではないからである。ユーザが、隣り合っていない２つの像を見ると、視覚効果が、深さ、変形、および、その他の事項について異なった情報をもたらす。したがって、一人の観賞者がモノビジョンを求めて着座していた観賞域を変更しようと所望した際に他の観賞者たちに対するゴーストの発生を防ぐために、ピクセルの再配列の規則は、１）モノビジョンの観賞域に対応するディスプレー上に配列されている２つの像は、内容に関して同じでなければならないこと、２）ステレオビジョンのいずれか他の観賞域に対応するディスプレー上に配列された２つの像は、同一場面の全ての像のうちの隣り合う２つの像であること、を含んでいる。ピクセルの再配列の規則を満たす疑似コードの例は、以下に示す。しかし、この疑似コードが一例に過ぎず、本発明を限定するためには使用されないことに注意されたい。
【００１９】
Ｎ人の観賞者がいて、ある観賞者は観賞域Ｍに着座し、観賞域Ｍが像ｍおよび像ｍ＋１に対応していると想定する。他の観賞者たちの観賞体験に影響を与えずに、観賞域Ｍの視界をステレオビジョンからモノビジョンに変更するための疑似コードは、以下の通りである。
If(m==1)
Clone(1, 2);//clone view[2]'s pixel to view[1].
Else if(m==N-1)
Clone(N, N-1);//clone view[N-1]'s pixel to view[N].
Else if(m<=N/2)
For(i=1, i<=m, i++)
Clone(i, i+1);//clone view[i+1]'s pixel to view[i].
Else if(m>N/2)
For(i=N-1, i>=m; i--)
Clone(i+1, i);//clone view [i]'s pixel to view[i+1].
【００２０】
本実施形態によれば、ある観賞域の視界をステレオビジョンからモノビジョンに変更するためのピクセルの再配列を実行するのはディスプレーである。一変形例によれば、ピクセルの再配列を実行するための処理モジュールは、ディスプレー以外の独立したデバイスに所在可能である。
【００２１】
変形例によれば、モノビジョンの観賞域は、観賞者が立体視ディスプレーの前に移動する際に変更可能である。例えば、カメラに基づくパターン認識またはＩＲ（赤外線）に基づく伝搬時間（ＴＯＦ）といった技術は、どの観賞域に観賞者が所在しているかを検出するために使用可能である。これに対応して、観賞者が着座している現在の観賞域では、ステレオビジョンからモノビジョンに変更されており、観賞者が着座していた直前の観賞域では、モノビジョンからステレオビジョンに変更されている。ＩＲに基づくＴＯＦに関しては、基本原理が、信号を送信するステップと、対象物から返信された信号の特性を測定するステップとを含む。距離は、伝搬時間と適用媒体内での信号の速度との乗算を介して得られる。ＴＯＦ技術に対する他の改善点は、対象物と光源との間の距離を算出するために、符号化された赤外波の持つ位相のずれを測定することである。
【００２２】
図１０は、本実施形態による、観賞者が所在している観賞域を検出するためのシステムを示す図である。
【００２３】
観賞者が立体視テレビのスイッチを入れると（映像は既定モードで立体に示される）、ヘッドのトラッキングシステムは、節電するために休眠したままとなる。モノビジョンに変更するよう指示するための遠隔コントローラのボタンを観賞者が押した後、テレビはヘッドのトラッキングシステムを起動し、観賞者がどの観賞域に所在している／移動するのかを検出させる。テレビは、観賞域に関する情報を受け取った後、上述の方法を使用することによって、対応したピクセル再配列を実行する。加えて、観賞者が移動しない場合、ヘッドのトラッキングシステムは、節電するために休眠モードに入る。
【００２４】
ヘッドのトラッキングシステムに対しては、立体視テレビに対する相対的な観賞者の位置の情報を検出するための奥行きセンサおよび知識に基づく認識などのいくつかの既存の技術が使用可能である。例えば、Ｍｉｃｒｏｓｏｆｔ社はＫｉｎｅｃｔシステムにおいてＰＲＩＭＥＳＥＮＳＥ奥行きセンサ（このセンサは光符号化技術を使用している）を使用している。奥行きセンサは、直接に形状情報を提供することが可能な良好な奥行きのイメージを作成可能であり、そのため、背景を固定化することが容易になる。しかし、システムは、顔の肌合いおよび頭の向きを検知しない。知識に基づく認識の技術は堅牢であり、迅速に復帰する。なぜなら、パラメータ空間における局所検索を実行するより、むしろ練習用のセット内で良好な一致を見出すことに依存しているからである。これらの既存の技術を使用して、ヘッドのトラッキングシステムは、ヘッドの位置を検出することが可能である。観賞者が所在している観賞域を検出するための方法を以下に説明する。
【００２５】
図１１は、本実施形態による、ヘッドのトラッキングシステムを使用することによって観賞者が所在している観賞域を検出するための方法を示す図である。最適な距離がＺであると仮定して（レンチキュラーレンズによるマルチビューシステムは最良の観賞範囲を有し、この範囲内では、ユーザが完璧な立体視映像を見ることが可能であり、最適な距離は最良の観賞範囲とテレビ受像機との間の距離となる）、モノビジョンを観賞することを指示している観賞者は、ＺｏｎｅＭに所在し、水平方向にＺｏｎｅＭ＋Ｎへ移動する。以下の疑似コードは、観賞者がどの観賞域に所在しているかを決定するために使用可能である。
system initial zone range;//after the multi-view system setup;
【００２６】
それぞれの域の範囲は６．５ｃｍに固定されている（人間の目と目の間の距離は、通常６．５ｃｍである。そのため、ユーザが立体視映像を見ることが不可能でなければ、それぞれの域の範囲は６．５ｃｍを超えてはならない）。
detect the viewer's position;
if (Z==optimal distance) begin
detect the viewer in which zone;
m=X/6.5;//The viewer move X in horizontal orientation
viewer move from ZoneM to ZoneM+m;
end
【００２７】
ここで、システムは、観賞者が所在していたのがＺｏｎｅＭであり、観賞者が（ｍ＝Ｘ／６．５）域を移動したことを知るので、システムは、観賞者が所在している現在の観賞域、すなわち、ＺｏｎｅＭ＋ｍを算出することが可能となる。これに対応して、ディスプレーは、現在の観賞域に基づいてピクセルの再配列を実行する。
【００２８】
図１２は、本実施形態による、マルチビューシステムにおいてモノビジョンを提供するための装置を示すブロック図である。これは、受け取った指示によって１つまたは複数の観賞域に対してピクセルの再配列を実行することによって行われる。例えば、図５に示すように、観賞域１についてモノビジョンを要求する指示を装置が受け取ると、装置は、同じ像を示す観賞域１へ屈折させた２つの像、すなわち、双方とも像１を示すことが可能か、または、双方とも像２を示すことが可能な２つの像を作成するためにピクセルの再配列を実行する。装置が他の機器、例えば、立体視テレビに集積可能であることに注意されたい。具体的に、装置は入力モジュール１２０１と、指示モジュール１２０２と、ピクセル再配列モジュール１２０３と、出力モジュール１２０４とを含む。入力モジュール１２０１は、同一場面に相当する複数の像を受け取るために使用する。複数の像は独立したデータストリームの形態、または、図４に示すものと同様の複数の像からなる１つの画像の形態とすることが可能である。指示モジュール１２０２は、ある観賞域にモノビジョンを提供するように要求するための指示を受け取り、指示をピクセル再配列モジュール１２０３に渡すために使用する。ピクセル再配列モジュール１２０３は、受け取った複数の像および受け取った指示に基づいて、モノビジョンのために観賞域へ屈折させた２つの像が複数の像のうちの同一の像のものとなり（すなわち、複数の像は同じ内容を含んでいる）、ステレオビジョンのためのいずれか他の観賞域に屈折させた２つの像が複数の像のうちの隣り合う２つの像となるように、複数の像から１つの画像を作成するためにピクセルの再配列を実行するために使用する。出力モジュール１２０４は、作成した画像を出力するために使用する。変形例によれば、装置は、モノビジョンを所望している観賞者がどの観賞域に所在しているかを検出し、モノビジョンを見せるための現在の観賞域およびステレオビジョンを見せるための以前の観賞域を要求する指示を指示モジュール１２０２に送信するための検出モジュール（図示せず）を含んでいる。
【００２９】
いくつかの実装形態を説明した。にもかかわらず、様々な修正を行うことが可能であることを理解されよう。例えば、他の実装形態を作り出すために、異なった実装形態の要素を組み合わせ、補足、修正、または排除することが可能である。加えて、他の構造および工程が開示したものを代用可能であること、および、結果として得られた実装形態が、開示した実装形態と少なくとも実質的に同じ結果（複数可）を達成するために、少なくとも実質的に同じ機能（複数可）を実質的に同じ方法（複数可）で実行することも当業者は理解されよう。したがって、これらのおよび他の実装形態は本発明の範囲に含まれる。
［付記１］
同一場面の少なくとも２つの像および少なくとも１つの観賞域を含むマルチビューシステムにおいてモノビジョンを提供するための方法であって、それぞれの観賞域は、２つの像が提供され、前記少なくとも２つの像は、前記少なくとも２つの像のうちの隣り合う２つの像をそれぞれの観賞域に提供してステレオビジョンを提供するように配列されている方法であって、
モノビジョンを提供する観賞域を要求する指示を受け取るステップと、
モノビジョンを提供する前記観賞域に提供される２つの像が前記少なくとも２つの像のうちの１つと同じ像となるように、前記少なくとも２つの像を再配列するステップと
を含む、方法。
［付記２］
前記少なくとも２つの像の前記再配列において、いずれか他の観賞域に提供される２つの像は、前記少なくとも２つの像のうちの隣り合う２つの像である、付記１に記載の方法。
［付記３］
観賞者が移動する際に、モノビジョンを前記観賞者が所望する現在の観賞域を検出するステップと、
前記現在の観賞域に提供される２つの像が、前記少なくとも２つの像のうちの１つと同じ像となるように、前記少なくとも２つの像を再配列するステップと
をさらに含む、付記１に記載の方法。
［付記４］
以前の観賞域に提供した前記２つの像は、前記少なくとも２つの像のうちの隣り合う２つの像に変更される、付記３に記載の方法。
［付記５］
同一場面の少なくとも２つの像および少なくとも１つの観賞域を含むマルチビューシステムにおいてモノビジョンを提供するための装置であって、それぞれの観賞域は２つの像が提供され、前記少なくとも２つの像は、前記少なくとも２つの像のうちの隣り合う２つの像をそれぞれの観賞域に提供してステレオビジョンを提供するように配列されている装置において、
同一場面の少なくとも２つの像を受け取るために使用する入力モジュール（１２０１）と、
前記少なくとも１つの観賞域のうちの１つの観賞域に対してモノビジョンを提供することを要求するための指示を受け取り、ピクセル再配列モジュール（１２０３）に前記指示を渡すために使用する指示モジュール（１２０２）と、
選択した観賞域にモノビジョンを提供するように要求するための指示を受け取ると、前記選択した観賞域に提供される２つの像が前記少なくとも２つの像のうちの１つと同じ像となるように、前記少なくとも２つの像に対して再配列を行うために使用するピクセル再配列モジュール（１２０３）と
を含む、装置。
［付記６］
前記少なくとも２つの像の前記再配列において、いずれか他の観賞域に提供される２つの像は、前記少なくとも２つの像のうちの隣り合う２つの像である、付記５に記載の装置。
［付記７］
観賞者が以前の観賞域から移動する際に、モノビジョンを前記観賞者が所望している現在の観賞域を検出し、前記現在の観賞域にモノビジョンを提供することを要求する指示を前記指示モジュール（１２０２）に送信するために使用する検出モジュールをさらに含み、
前記ピクセル再配列モジュール（１２０３）は、前記現在の観賞域に提供される２つの像が前記少なくとも２つの像のうちの１つと同じ像となるようにするために、さらに使用される、付記５に記載の装置。
［付記８］
以前の観賞域に提供された前記２つの像は、前記少なくとも２つの像のうちの隣り合う２つの像に変更される、付記６に記載の装置。
【図１】
0005833667.tif 000002
【図２】
0005833667.tif 000003
【図３】
0005833667.tif 000004
【図４】
0005833667.tif 000005
【図５】
0005833667.tif 000006
【図６】
0005833667.tif 000007
【図７】
0005833667.tif 000008
【図８】
0005833667.tif 000009
【図９】
0005833667.tif 000010
【図１０】
0005833667.tif 000011
【図１１】
0005833667.tif 000012
【図１２】
0005833667.tif 000013